(57)【要約】【課題】演奏者のマイプロモーション映像を作成する付加的な機能を有するカラオケ装置を提供する。【解決手段】ＣＣＤカメラ４５による演奏者の撮影中にカラオケ装置１６により出力される演奏曲の歌詞に基づくスタンプ映像１２２を作成するスタンプ映像作成手段１１４と、そのスタンプ映像１２２とＣＣＤカメラ４５により撮像された演奏者の映像１２４とを合成してマイプロモーション映像１２８を作成するマイプロモーション映像作成手段１１６と、そのマイプロモーション映像作成手段１１６により作成されたマイプロモーション映像１２８を外部機器に送信するマイプロモーション映像送信手段１１８とを、備えたものであることから、カラオケ装置１６を用いて演奏を行っている演奏者の映像とその演奏に係る演奏曲の歌詞をモチーフとしたスタンプ映像とを含むマイプロモーション映像を簡便に作成でき、外部機器において利用することができる。【選択図】図５
2010072289.tif 000002
【特許請求の範囲】
【請求項１】
多数の演奏曲のうちから選択される所定の演奏曲を出力させると共に、該演奏曲の出力と併行して該演奏曲の歌詞文字映像を含む演奏映像を表示させるカラオケ装置であって、
該カラオケ装置により演奏を行う演奏者の映像を撮影する撮像装置と、
該撮像装置による撮影中に前記カラオケ装置により出力される演奏曲の歌詞に基づくスタンプ映像を作成するスタンプ映像作成手段と、
該スタンプ映像作成手段により作成されたスタンプ映像と前記撮像装置により撮像された演奏者の映像とを合成してマイプロモーション映像を作成するマイプロモーション映像作成手段と、
該マイプロモーション映像作成手段により作成されたマイプロモーション映像を外部機器に送信するマイプロモーション映像送信手段と
を、備えたものであることを特徴とするカラオケ装置。
【請求項２】
前記外部機器は、前記マイプロモーション映像送信手段により送信されるマイプロモーション映像に基づくシールを作成するシール作成装置である請求項１に記載のカラオケ装置。
【請求項３】
前記マイプロモーション映像は、前記外部機器としての携帯電話機の待ち受け画像として利用されるものである請求項１に記載のカラオケ装置。
【請求項４】
前記マイプロモーション映像は、前記外部機器としての携帯電話機におけるＨＴＭＬ形式メールの装飾画像として利用されるものである請求項１に記載のカラオケ装置。
【請求項５】
前記マイプロモーション映像は、前記外部機器としてのデータベースにアップロードされてインターネットを介して閲覧可能とされるものである請求項１に記載のカラオケ装置。
【請求項６】
前記スタンプ映像作成手段は、前記撮像装置により撮像された演奏者の映像に対して所定の動きをとる動画としての前記スタンプ映像を作成するものである請求項１から５の何れか１項に記載のカラオケ装置。
【請求項７】
前記スタンプ映像作成手段は、予め定められた関係から対象となる演奏曲のジャンルに応じて前記演奏者の映像に対するスタンプ映像の動きを定めるものである請求項６に記載のカラオケ装置。
【請求項８】
前記スタンプ映像作成手段は、予め定められた関係から対象となる演奏曲のジャンルに応じて前記スタンプ映像の形体を定めるものである請求項１から７の何れか１項に記載のカラオケ装置。
【請求項９】
前記スタンプ映像作成手段は、予め定められた関係から、対象となる演奏曲のタイトル及び該演奏曲の歌詞に含まれる文字に基づいて、前記スタンプ映像に用いる単数乃至複数の文字列を抽出するものである請求項１から８の何れか１項の記載のカラオケ装置。
【請求項１０】
前記スタンプ映像作成手段は、抽出された複数の文字列の中から所定の操作により選択される文字列を前記スタンプ映像に用いる歌詞として定めるものである請求項９に記載のカラオケ装置。
【請求項１１】
前記マイプロモーション映像作成手段は、前記スタンプ映像に加えて所定のピクチャスタンプ映像を前記撮像装置により撮像された演奏者の映像と合成してマイプロモーション映像を作成するものである請求項１から１０の何れか１項に記載のカラオケ装置。
【請求項１２】
前記マイプロモーション映像作成手段は、予め定められた関係から対象となる演奏曲のジャンルに応じて単数乃至複数のピクチャスタンプ映像を抽出するものである請求項１１に記載のカラオケ装置。
【請求項１３】
前記マイプロモーション映像作成手段は、抽出された複数のピクチャスタンプ映像の中から所定の操作により選択されるピクチャスタンプ映像を前記マイプロモーション映像に合成するものである請求項１２に記載のカラオケ装置。
【請求項１４】
前記カラオケ装置を遠隔操作するために、所定の映像を表示させると共に利用者の接触に応じて前記カラオケ装置への入力を行うタッチパネルディスプレイを有する電子早見本装置を備え、前記スタンプ映像作成手段、マイプロモーション映像作成手段、及びマイプロモーション映像送信手段は、該電子早見本装置に備えられたものである１から１３の何れか１項に記載のカラオケ装置。
【発明の詳細な説明】
【技術分野】
【０００１】
本発明は、多数の演奏曲のうちから選択される所定の演奏曲を出力させるカラオケ装置に関し、特に、演奏者のマイプロモーション映像を作成する付加的な機能に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
斯かるカラオケ装置において、利用者の好みに応じて編集された映像をカラオケ演奏に際しての背景映像として用いる技術が提案されている。例えば、特許文献１に記載されたカラオケシステムがそれである。この技術によれば、画像編集装置により編集され、ネットワークを介して送信されたオリジナル背景映像を記憶する記憶装置と、カラオケ端末による配信要求に応じてその記憶装置に記憶されたオリジナル背景映像をそのカラオケ端末に配信する配信手段とを、備えたものであることから、利用者の好みに応じて編集された背景映像をどこにでも配信可能であるとされている。
【０００４】
【特許文献１】特開２００２−３６６１７０号公報
【０００５】
しかし、前述したような従来の技術は、前記カラオケ装置によるカラオケ演奏における背景映像を編集するものに過ぎず、カラオケシステムの中での利用に留まるものであり、汎用性に乏しいものであった。ところで、近年、アーティストがＣＤの発売等に際して公開するプロモーションビデオを前記カラオケ装置の背景映像として用いる形態が実用化されている。そして、そのようなアーティストのプロモーション映像を背景映像としてカラオケ演奏を行う利用者の中から、斯かるアーティストのプロモーションビデオに似た自分独自のプロモーション映像を作成し、種々の用途に用いたいという要望が挙がるようになり、実現が期待されていた。すなわち、演奏者のマイプロモーション映像を作成する付加的な機能を有するカラオケ装置の開発が求められていた。
【発明の開示】
【発明が解決しようとする課題】
【０００６】
本発明は、以上の事情を背景として為されたものであり、その目的とするところは、演奏者のマイプロモーション映像を作成する付加的な機能を有するカラオケ装置を提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と併行してその演奏曲の歌詞文字映像を含む演奏映像を表示させるカラオケ装置であって、そのカラオケ装置により演奏を行う演奏者の映像を撮影する撮像装置と、その撮像装置による撮影中に前記カラオケ装置により出力される演奏曲の歌詞に基づくスタンプ映像を作成するスタンプ映像作成手段と、そのスタンプ映像作成手段により作成されたスタンプ映像と前記撮像装置により撮像された演奏者の映像とを合成してマイプロモーション映像を作成するマイプロモーション映像作成手段と、そのマイプロモーション映像作成手段により作成されたマイプロモーション映像を外部機器に送信するマイプロモーション映像送信手段とを、備えたことを特徴とするものである。
【発明の効果】
【０００８】
このようにすれば、前記カラオケ装置により演奏を行う演奏者の映像を撮影する撮像装置と、その撮像装置による撮影中に前記カラオケ装置により出力される演奏曲の歌詞に基づくスタンプ映像を作成するスタンプ映像作成手段と、そのスタンプ映像作成手段により作成されたスタンプ映像と前記撮像装置により撮像された演奏者の映像とを合成してマイプロモーション映像を作成するマイプロモーション映像作成手段と、そのマイプロモーション映像作成手段により作成されたマイプロモーション映像を外部機器に送信するマイプロモーション映像送信手段とを、備えたものであることから、前記カラオケ装置を用いて演奏を行っている演奏者の映像とその演奏に係る演奏曲の歌詞をモチーフとしたスタンプ映像とを含むマイプロモーション映像を簡便に作成でき、外部機器において利用することができる。すなわち、演奏者のマイプロモーション映像を作成する付加的な機能を有するカラオケ装置を提供することができる。
【０００９】
ここで、好適には、前記外部機器は、前記マイプロモーション映像送信手段により送信されるマイプロモーション映像に基づくシールを作成するシール作成装置である。このようにすれば、前記マイプロモーション映像を実用的な態様で好適に利用することができる。
【００１０】
また、好適には、前記マイプロモーション映像は、前記外部機器としての携帯電話機の待ち受け画像として利用されるものである。このようにすれば、前記マイプロモーション映像を実用的な態様で好適に利用することができる。
【００１１】
また、好適には、前記マイプロモーション映像は、前記外部機器としての携帯電話機におけるＨＴＭＬ形式メールの装飾画像として利用されるものである。このようにすれば、前記マイプロモーション映像を実用的な態様で好適に利用することができる。
【００１２】
また、好適には、前記マイプロモーション映像は、前記外部機器としてのデータベースにアップロードされてインターネットを介して閲覧可能とされるものである。このようにすれば、前記マイプロモーション映像を実用的な態様で好適に利用することができる。
【００１３】
また、好適には、前記スタンプ映像作成手段は、前記撮像装置により撮像された演奏者の映像に対して所定の動きをとる動画としての前記スタンプ映像を作成するものである。このようにすれば、動画としてのスタンプ映像を含む魅力的なマイプロモーション映像を作成することができる。
【００１４】
また、好適には、前記スタンプ映像作成手段は、予め定められた関係から対象となる演奏曲のジャンルに応じて前記演奏者の映像に対するスタンプ映像の動きを定めるものである。このようにすれば、演奏に係る演奏曲のジャンルに応じて動く動画としてのスタンプ映像を含む魅力的なマイプロモーション映像を作成することができる。
【００１５】
また、好適には、前記スタンプ映像作成手段は、予め定められた関係から対象となる演奏曲のジャンルに応じて前記スタンプ映像の形体を定めるものである。このようにすれば、演奏に係る演奏曲のジャンルに応じた形体をとるスタンプ映像を含む魅力的なマイプロモーション映像を作成することができる。
【００１６】
また、好適には、前記スタンプ映像作成手段は、予め定められた関係から、対象となる演奏曲のタイトル及びその演奏曲の歌詞に含まれる文字に基づいて、前記スタンプ映像に用いる単数乃至複数の文字列を抽出するものである。このようにすれば、前記スタンプ映像に用いる文字列を実用的な態様で好適に抽出することができる。
【００１７】
また、好適には、前記スタンプ映像作成手段は、抽出された複数の文字列の中から所定の操作により選択される文字列を前記スタンプ映像に用いる歌詞として定めるものである。このようにすれば、利用者の所望する文字列に基づくスタンプ映像を作成することができる。
【００１８】
また、好適には、前記マイプロモーション映像作成手段は、前記スタンプ映像に加えて所定のピクチャスタンプ映像を前記撮像装置により撮像された演奏者の映像と合成してマイプロモーション映像を作成するものである。このようにすれば、演奏に係る演奏曲の歌詞をモチーフとしたものではないピクチャスタンプ映像を含む魅力的なマイプロモーション映像を作成することができる。
【００１９】
また、好適には、前記マイプロモーション映像作成手段は、予め定められた関係から対象となる演奏曲のジャンルに応じて単数乃至複数のピクチャスタンプ映像を抽出するものである。このようにすれば、演奏に係る演奏曲の歌詞をモチーフとしたものではないが、その演奏曲のジャンルに応じて抽出されるピクチャスタンプ映像を含む魅力的なマイプロモーション映像を作成することができる。
【００２０】
また、好適には、前記マイプロモーション映像作成手段は、抽出された複数のピクチャスタンプ映像の中から所定の操作により選択されるピクチャスタンプ映像を前記マイプロモーション映像に合成するものである。このようにすれば、利用者の所望するピクチャスタンプ映像を含むマイプロモーション映像を作成することができる。
【００２１】
また、好適には、前記カラオケ装置を遠隔操作するために、所定の映像を表示させると共に利用者の接触に応じて前記カラオケ装置への入力を行うタッチパネルディスプレイを有する電子早見本装置を備え、前記スタンプ映像作成手段、マイプロモーション映像作成手段、及びマイプロモーション映像送信手段は、その電子早見本装置に備えられたものである。このようにすれば、前記カラオケ装置により演奏が行われている際に、そのカラオケ演奏を邪魔することなくマイプロモーション映像のプレビュー乃至編集等の作業を行うことができる。
【発明を実施するための最良の形態】
【００２２】
以下、本発明の好適な実施例を図面に基づいて詳細に説明する。
【実施例】
【００２３】
図１は、本発明が好適に適用されるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）の本発明の一実施例であるカラオケ装置１６ａ、１６ｂ、１６ｃ、・・・（以下、特に区別しない場合には単にカラオケ装置１６と称する）が設置されている。これら複数のカラオケ装置１６は、ルータ２８を介して公衆電話回線等による通信回線１８に接続されており、同じくその通信回線１８に接続されたカラオケサービス提供会社のサーバ装置（センタ装置）２０との相互間でその通信回線１８を介して情報の通信が可能とされている。このサーバ装置２０は、カラオケ情報（楽曲データ）、背景映像情報、曲間情報等のデジタルコンテンツ（Digital Contents）の保管や入出力管理の基本的な制御を行うサーバであり、上記通信回線１８を介して上記カラオケ装置１６に定期的にコンテンツの配信を行うと共に、そのカラオケ装置１６からの要求に応じて所定の機能制御プログラムを送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台乃至数台ずつの電子早見本装置２２が貸与され、各個室１４において後述するように上記カラオケ装置１６の遠隔操作装置として用いられるようになっている。上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２４】
図２は、上記カラオケ装置１６の構成を例示するブロック線図である。この図２に示すように、上記カラオケ装置１６は、ＣＲＴ（Cathode-ray Tube）やＴＦＴ（Thin Film Transistor Liquid Crystal）等の映像表示装置３０と、ＣＲＴコントローラ等の映像出力制御部３２と、映像情報デコーダ３４と、ビデオミキサ３６と、音源であるシンセサイザ３８と、音声入力装置であるマイクロフォン４０と、アンプミキサ４２と、スピーカ４４と、撮像装置であるＣＣＤ（Charge Coupled Device）カメラ４５と、操作パネル４６と、その操作パネル４６等からの入力信号を処理する入出力インターフェイス４８と、中央演算処理装置であるＣＰＵ５０と、読出専用メモリであるＲＯＭ５２と、随時書込読出メモリであるＲＡＭ５４と、記憶装置であるハードディスク５６と、モデム５８と、ＬＡＮポート６０と、上記電子早見本装置２２やリモコン装置６４等の入力装置からのリモコン信号を受信するためのリモコン受信部６２とを、備えて構成されている。また、後述する外部機器であるシール作成装置６５が接続されるようになっている。
【００２５】
前記映像出力制御部３２は、前記ＣＰＵ５０において生成された歌詞文字映像等の文字映像（テロップ）を出力する文字映像出力装置として機能する他、前記映像表示装置３０による種々の映像表示を制御する表示制御装置である。また、前記映像情報デコーダ３４は、利用者が歌詞を参照しながら歌を歌う際に前記ハードディスク５６に記憶された背景映像情報に基づいて所定の背景映像を再生（デコード）する背景映像再生装置である。この背景映像情報は、例えば、ＭＰＥＧ（Moving Picture Experts Group）形式のデータであり、そのＭＰＥＧデータに基づいて前記映像情報デコーダ３４により再生された背景映像は、前記ビデオミキサへ送られる。また、前記ビデオミキサ３６は、前記ＣＰＵ５０において生成され且つ前記映像出力制御部３２から出力される文字映像と、前記映像情報デコーダ３４により再生される背景映像とを合成して前記映像表示装置３０に表示させる映像合成装置である。
【００２６】
前記シンセサイザ３８は、前記ハードディスク５６から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ３８により生成された音楽信号は、アナログ信号に変換されて前記アンプミキサ４２へ送られる。そのアンプミキサ４２では、送られてきた音楽信号と前記マイクロフォン４０を介して入力される利用者の歌声とがミキシングされ、それらの信号が電気的に増幅されて前記スピーカ４４から出力される。
【００２７】
前記ＣＣＤカメラ４５は、電荷結合素子（Charge Coupled Device：ＣＣＤ）により像を撮影する撮像装置であり、そのＣＣＤカメラ４５により撮影された映像は直接的に或いは図示しない所定のコンバータを介して前記カラオケ装置１６のＣＰＵ５０に入力されるようになっている。また、このＣＣＤカメラ４５は、好適には、前記カラオケ装置１６によりカラオケ演奏を行う利用者の像を撮影し得る位置に予め位置固定に設けられたものである。更に、そのようにして前記ＣＰＵ５０に入力された映像が、前記電子早見本装置２２からの要求に応じて前記ＬＡＮ２４等を介してその電子早見本装置２２へ送信可能とされている。
【００２８】
前記操作パネル４６は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４６の一部機能を遠隔で実行するための入力装置として機能するリモコン装置６４が備えられており、前記リモコン受信部６２は、そのリモコン装置６４から送信されるリモコン信号を受信して前記ＣＰＵ５０へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力装置として機能する。
【００２９】
前記ＣＰＵ５０は、前記ＲＡＭ５４の一時記憶機能を利用しつつ前記ＲＯＭ５２に予め記憶された所定のプログラムに基づいて電子情報を処理・制御する所謂マイクロコンピュータであり、前記電子早見本装置２２やリモコン装置６４等により所定のカラオケ演奏曲が選曲された場合、その選曲されたカラオケ演奏曲を前記ＲＡＭ５４に設けられた予約曲テーブルに登録したり、その予約曲テーブルの演奏順に従って前記ハードディスク５６から前記ＲＡＭ５４に選曲されたカラオケ演奏曲の演奏情報及び歌詞情報等を読み出したり、カラオケ演奏曲の演奏が進行するのに応じてそのＲＡＭ５４から前記シンセサイザ３８へ演奏情報を送信したり、歌詞情報に基づいて歌詞文字映像を生成して前記映像出力制御部３２へ送ったり、選曲時には曲名文字映像を生成して前記映像出力制御部３２へ送ったり、前記映像情報デコーダ３４を制御して所定の背景映像を再生させたり、カラオケ演奏が行われていない間すなわち曲間において、新譜情報、選曲ランキング、店舗広告等の曲間情報を出力させたり、前記通信回線１８を介した前記サーバ装置２０との間の情報通信制御等の基本的な制御を実行する。
【００３０】
前記モデム５８は、前記カラオケ装置１６を公衆電話回線等による通信回線１８に接続するための装置であり、前記ＣＰＵ５０から出力されるディジタル信号をアナログ信号に変換して前記通信回線１８に送り出すと共に、その通信回線１８を介して伝送されるアナログ信号をディジタル信号に変換して前記ＣＰＵ５０に供給する処理を行う。なお、前記店舗１２に備えられた複数のカラオケ装置１６のうち何れかのカラオケ装置１６が前記ルータ２８の機能を備えてマスターコマンダとして前記通信回線１８に接続される態様も考えられ、その場合、前記モデム５８はそのマスターコマンダとして機能するカラオケ装置１６には必要とされるが、そのマスターコマンダを介して前記サーバ装置２０との間で情報の通信を行う他のカラオケ装置１６には必ずしも設けられなくともよい。
【００３１】
前記ＬＡＮポート６０は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６を介して受信される前記電子早見本装置２２からの選曲入力を受け付けて前記ＲＡＭ５４に設けられた予約曲テーブルに記憶したり、そのアクセスポイント２６を介して前記カラオケ装置１６から電子早見本装置２２へ所定の情報を送信したりというように、電波を介して前記カラオケ装置１６と電子早見本装置２２との間における相互の情報のやりとりが実行される。また、斯かるＬＡＮ２４及びアクセスポイント２６を介して、前記複数の電子早見本装置２２相互間でも情報の通信が行われる。
【００３２】
前記ハードディスク５６には、カラオケ演奏曲を出力させるための多数のカラオケデータ（楽曲データ）を記憶するカラオケデータベース９６（図５を参照）をはじめとする各種データベースが設けられている。カラオケボックス等の店舗にそれぞれ備えられた複数のカラオケ装置１６のうち所定のカラオケ装置１６例えば前記カラオケ装置１６ａは、前記モデム５８を介して前記通信回線１８に接続されており、前記複数のカラオケ装置１６によって常に新しい曲が演奏可能とされるように、随時新たな楽曲データ等が前記サーバ装置２０から前記通信回線１８を介して配信され、前記ハードディスク５６のカラオケデータベース９６等に記憶される。また、そのようにして前記サーバ装置２０から情報を取得したカラオケ装置１６ａとその他のカラオケ装置１６との間で前記ＬＡＮ２４を介した通信が行われることにより、各カラオケ装置１６のハードディスク５６に記憶される情報が共有され、上記カラオケデータベース９６等の内容が等価なものとされる。
【００３３】
上記カラオケデータベース９６に記憶されるカラオケデータは、前記シンセサイザ３８により所定の楽器の演奏音を生成するための演奏情報及び歌詞文字映像（歌詞テロップ）を生成するための歌詞情報から成るものであり、コンテンツＩＤである各演奏曲に固有の選曲番号により識別される。また、各カラオケデータは、対応する演奏曲のタイトル、歌手名（オリジナルアーティスト名）、発表年月日、及びジャンル等の情報を含んでいる。このジャンルとは、ポップス、ロックンロール、Ｒ＆Ｂ、テクノ、レゲエ、演歌、軍歌、アニメソング、邦楽、洋楽等の演奏曲の分類や、ドラマ、夏、懐メロ、恋愛、自然、酒、海、川等の演奏曲の曲調を表すキーワード等であり、各カラオケデータはそれら複数のジャンルのうち少なくとも１つのジャンルに属するものである。
【００３４】
前記シール作成装置６５は、例えばＵＳＢ端子等を介して前記カラオケ装置１６のＣＰＵ５０に接続される外部機器であり、そのカラオケ装置１６から送信される映像情報に基づいて後述する図１１に示すようなシール１３２を作成する。なお、このシール作成装置６５は、無線ＬＡＮ通信部を備えて構成されたものであってもよく、斯かる場合には前記ＬＡＮ２４等を介して前記カラオケ装置１６との間で無線通信が行われる。また、前記ＬＡＮ２４等を介して前記電子早見本装置２２と無線或いは有線接続されるものであってもよく、その電子早見本装置２２との間で直接情報の送受信が行われるものであってもよい。
【００３５】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ６８を備えている。また、前記カラオケ装置１６、他の電子早見本装置２２、或いは前記シール作成装置６５等との間でデータの送受信や同期を実行したり、前記電子早見本装置２２に内蔵されたバッテリを充電する等の動作を行うスタンド型の接続架台（ドッキングテーブル）であるクレイドル６６を備えている。前記電子早見本装置２２は、そのクレイドル６６に取り付けられた状態又はそのクレイドル６６から取り外された状態で用いられ、取り付けられた状態においては、そのクレイドル６６及びＬＡＮ２４を介して前記カラオケ装置１６、他の電子早見本装置２２、或いは前記シール作成装置６５に有線接続されるようになっている。また、上記クレイドル６６から取り外された状態においては、上記アクセスポイント２６及びＬＡＮ２４を介して前記カラオケ装置１６、他の電子早見本装置２２、或いは前記シール作成装置６５に無線接続されるようになっている。
【００３６】
図４は、前記電子早見本装置２２の構成を説明するブロック線図である。この図４に示すように、前記電子早見本装置２２は、上記タッチパネルディスプレイ６８に所定の映像を表示させる表示装置７２と、その表示装置７２による表示を制御する表示制御部７４と、利用者の指や図示しない備え付けのペン等によるタッチパネルディスプレイ６８への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、上記クレイドル６６と電気的な接続を可能とするためのコネクタ９４ａとを、備えて構成されている。上記クレイドル６６には、斯かる電子早見本装置２２と電気的な接続を可能とするためのコネクタ９４ｂが設けられており、前記電子早見本装置２２は、前記クレイドル６６に載置されて上記コネクタ９４ａ及び９４ｂが相互に接触させられることで、上記インターフェイス８８を介して前記クレイドル６６乃至はＬＡＮ２４に接続されるようになっている。
【００３７】
上記ＣＰＵ８０は、上記ＲＡＭ８４の一時記憶機能を利用しつつ上記ＲＯＭ８２に記憶された情報に基づいて情報処理を実行する所謂マイクロコンピュータであり、上記表示制御部７４を介して前記タッチパネルディスプレイ６８（表示装置７２）に所定の映像を表示させたり、その映像に基づく前記タッチパネルディスプレイ６８（タッチパネル７６）への接触により上記入力制御部７８を介して入力される入力信号を処理したり、その入力信号に基づき前記無線ＬＡＮ通信部９２等を介して前記カラオケ装置１６へ選曲入力をはじめとする入力送信を行ったり、その無線ＬＡＮ通信部９２等を介して他の電子早見本装置２２との間で情報の通信や同期を行ったり、マスターコマンダである前記カラオケ装置１６ａを介して前記センタ装置２０との間で情報の通信を行う等といった基本的な制御に加えて、後述するマイプロモーション映像作成制御等を実行する。
【００３８】
前記記憶部８６には、前記カラオケ装置１６のカラオケデータベース９６に記憶された多数のカラオケ情報それぞれに対応して曲名、アーティスト名、属性情報、歌詞の歌い出し部分等の選曲案内情報、及び備考等を選曲番号毎に記憶する図示しない演奏曲データベースが設けられている。また、後述するマイプロモーション映像作成制御を実行するために、歌詞抽出データベース９８、スタンプデータベース１００、及びピクチャスタンプデータベース１０２等の各種データベース（図５を参照）を備えている。これらのデータベースの内容については、図６乃至図９等を用いて後述する。
【００３９】
図５は、前記カラオケ装置１６のＣＰＵ５０及び前記電子早見本装置２２のＣＰＵ８０に備えられた制御機能を説明する機能ブロック線図である。この図５に示すカラオケ演奏制御手段１１０及び演奏者映像送信手段１１２は、前記カラオケ装置１６のＣＰＵ５０に機能的に備えられたものであり、スタンプ映像作成手段１１４、マイプロモーション映像作成手段１１６、及びマイプロモーション映像送信手段１１８は、前記電子早見本装置２２のＣＰＵ８０に機能的に備えられたものである。以下、これらの制御機能について詳述する。
【００４０】
上記カラオケ演奏制御手段１１０は、前記カラオケ装置１６によるカラオケ演奏に際しての演奏曲の出力を制御する。具体的には、前記ＲＡＭ５４等に記憶された予約曲テーブルにおける演奏順に、その予約曲テーブルに記憶された演奏曲の選曲番号に対応するカラオケ情報を前記カラオケデータベース９６から読み出し、そのカラオケ情報に含まれる演奏情報に基づいて演奏曲の出力を制御する。すなわち、演奏情報としてのＭＩＤＩデータに基づいて、前記シンセサイザ３８によりそのＭＩＤＩデータにおける楽譜情報としてのトラック乃至はチャンネルに対応する楽器の演奏音（音楽情報）を出力させ、前記アンプミキサ４２を介して前記スピーカ４４から出力させる。
【００４１】
前記演奏者映像送信手段１１２は、前記電子早見本装置２２からの要求に応じて、前記ＣＣＤカメラ４５により撮影された映像すなわち前記カラオケ装置１６により演奏を行う演奏者の映像をその電子早見本装置２２へ送信する。例えば、前記ＣＣＤカメラ４５により撮影された映像情報を所定のコーデックで圧縮し、前記ＬＡＮ２４等を介して対象となる電子早見本装置２２へリアルタイム送信する。また、好適には、斯かる映像の送信と同期して、その時点において前記カラオケ演奏制御手段１１０により演奏制御が行われている演奏曲の情報すなわちカラオケデータ乃至そのカラオケデータに含まれるヘッダ情報や歌詞情報等を対象となる電子早見本装置２２へ送信する。
【００４２】
前記スタンプ映像作成手段１１４は、前記ＣＣＤカメラ４５による撮影中すなわち前記演奏者映像送信手段１１２からの映像情報の受信中に前記カラオケ装置１６により出力される演奏曲の歌詞（映像情報と同期して送られてくる演奏曲に関する情報）に基づくスタンプ映像を作成する。このスタンプ映像とは、対象となる歌詞すなわち文字列を所定のフォント（タイプフェイス）で表示した文字映像、そのフォントの色を種々に変化させりアウトラインを別の色で縁取りしたりといった装飾を施した文字映像、或いはその文字映像をロゴやマークのように変形（デフォルメ）した映像等、その文字列をモチーフとして種々の形体をとる映像をいう。
【００４３】
ここで、前記スタンプ映像作成手段１１４は、好適には、予め定められた関係から、対象となる演奏曲すなわち演奏者映像送信手段１１２からの映像情報の受信中にカラオケ装置１６により出力される演奏曲のタイトル及びその演奏曲の歌詞に含まれる文字に基づいて、前記スタンプ映像に用いる単数乃至複数の文字列を抽出する。図６は、前記記憶部８６に備えられた歌詞抽出データベース９８の一例を示す図である。この図６に示すように、前記歌詞抽出データベース９８には、対象となる演奏曲の歌詞から前記スタンプ映像に用いる文字列を抽出するための条件及び各文字列の表示場所が優先度順に記憶されている。前記スタンプ映像作成手段１１４は、この図６に示すように歌詞抽出データベース９８に記憶された内容から対象となる演奏曲のタイトル及びその演奏曲の歌詞に含まれる文字に基づいて複数の文字列を抽出する。この文字列は、好適には、例えば１５文字以下というように、その文字数の上限が予め定められたものであり、前記スタンプ映像作成手段１１４は、前記歌詞抽出データベース９８に記憶された内容に基づきその文字数の範囲内で複数の文字列を抽出する。
【００４４】
また、前記スタンプ映像作成手段１１４は、好適には、上述のようにして抽出された複数の文字列の中から所定の操作により選択される文字列を前記スタンプ映像に用いる歌詞として定める。具体的には、図１０に示すように、抽出された複数の文字列を前記タッチパネルディスプレイ６８に表示させ、その表示に従って利用者によるタッチ入力操作（タッチパネル７６による入力操作）により入力される単数乃至複数の文字列を前記スタンプ映像に用いる歌詞として定める。図１０に示す例では、前記スタンプ映像に用いられる候補の文字列として「Love Lime for You!」、「あの日見た夕陽」、「スキだったあの頃」、「ライム色の思い出」の４つの文字列が表示されており、その中から文字列「Love Lime for You!」が選択されることで、その文字列が前記スタンプ映像に用いる歌詞として定められ、その文字列に基づくスタンプ映像１２２が前記タッチパネルディスプレイ６８におけるプレビュー画面に表示されている。このように、前記スタンプ映像は、好適には、前記カラオケ装置１６の映像表示装置３０に歌詞文字映像として表示されるのと略同じタイミングで前記タッチパネルディスプレイ６８に表示される。また、そのスタンプ映像の表示時間は、好適には、対象となる演奏曲のテンポ情報に基づいて例えば２小節分とされる。
【００４５】
また、前記スタンプ映像作成手段１１４は、好適には、前記ＣＣＤカメラ４５により撮像された演奏者の映像すなわち前記演奏者映像送信手段１１２から受信される映像情報に対して所定の動きをとる動画としての前記スタンプ映像を作成する。更に好適には、予め定められた関係から対象となる演奏曲のジャンルに応じて前記演奏者の映像に対するスタンプ映像の動き及び形体を定める。図７は、前記記憶部８６に備えられたスタンプデータベース１００の一例を示す図である。この図７に示すように、前記スタンプデータベース１００には、複数（図７では２つ）のジャンルの組に対応して、スタンプ映像の動き及びそのスタンプ映像に用いられるフォントが各組毎に定められている。前記スタンプ映像作成手段１１４は、この図７に示すようにスタンプデータベース１００に記憶された内容から対象となる演奏曲のジャンルに応じて前記演奏者の映像に対するスタンプ映像の動き及び形体（フォント）を定める。
【００４６】
また、図８は、前記スタンプデータベース１００の図７とは別の一部を示す図である。この図８に示すように、前記スタンプデータベース１００には、所定の演奏曲における所定の歌詞（文字列）に対応してスタンプ映像の動き及び形体が定められており、前記スタンプ映像作成手段１１４は、この図８に示すようにスタンプデータベース１００に記憶された内容から対象となる演奏曲に応じて前記演奏者の映像に対するスタンプ映像の動き及び形体（フォント）を定める。
【００４７】
また、前記スタンプ映像作成手段１１４は、好適には、対象となる演奏曲のテンポ情報を読み取り、そのテンポ情報に基づいて前記スタンプ映像の動きを定めるものであってもよい。また、１つ目のスタンプ映像はＣＨ４：メロディ、２つ目のスタンプ映像はＣＨ１０：バスドラム・・・というように、複数のスタンプ映像の動きをノートの発音タイミングに応じて定めるものであってもよい。また、Ａメロ、Ｂメロ、サビ・・・等のそれぞれのポイントにあるフラグを読み取り、各演奏区間に対応して動きの強弱をそれぞれ設定しておくものであってもよい。更には、前記マイクロフォン４０から入力される演奏者の音声に応じて前記スタンプ映像の動きを定めるものであってもよい。
【００４８】
図５に戻って、前記マイプロモーション映像作成手段１１６は、前記スタンプ映像作成手段１１４により作成されたスタンプ映像と前記ＣＣＤカメラ４５により撮像された演奏者の映像すなわち前記演奏者映像送信手段１１２から受信される映像情報とを合成してマイプロモーション映像を作成する。図１０は、このマイプロモーション映像作成手段１１６によるマイプロモーション映像の作成に際して前記タッチパネルディスプレイ６８に表示されるプレビュー／編集画面１２０を説明する図である。この図１０に示すように、前記電子早見本装置２２によるマイプロモーション映像の作成に際しては、前記ＣＣＤカメラ４５により撮影されて前記カラオケ装置１６から送られてくる演奏者の映像１２４の前面側レイヤに前記スタンプ映像作成手段１１４により作成されたスタンプ映像１２２が合成され、実際に作成されるマイプロモーション映像のプレビュー映像として前記タッチパネルディスプレイ６８に表示される。
【００４９】
また、前記マイプロモーション映像作成手段１１６は、好適には、前記スタンプ映像１２２に加えて、図１０に示すような所定のピクチャスタンプ映像１２６（図１０では複数の星のマーク）を前記ＣＣＤカメラ４５により撮像された演奏者の映像１２４とを合成してマイプロモーション映像１２８を作成する。このピクチャスタンプ映像とは、演奏に係る演奏曲の歌詞をモチーフとしたものではないがその演奏曲に関連して選択される所定の形体の映像であり、好適には、前記演奏者映像送信手段１１２から受信される映像に対して所定の動きをとるように予め定められている。また、このピクチャスタンプ映像は、対象となる演奏曲における歌詞フレーズのない部分に好適に適用される。図９は、前記記憶部８６に備えられたピクチャスタンプデータベース１０２の一例を示す図である。この図９に示すように、前記ピクチャスタンプデータベース１０２には、複数（図９では２つ）のジャンルの組に対応して、ピクチャスタンプ映像の内容、動き、及びその表示場所が各組毎に定められている。前記マイプロモーション映像作成手段１１６は、例えば、この図９に示すように前記ピクチャスタンプデータベース１０２に記憶された内容から対象となる演奏曲のジャンルに応じて単数乃至複数のピクチャスタンプ映像を抽出する。更に好適には、抽出された複数のピクチャスタンプ映像の中から前記タッチパネル７６を介しての操作により選択される単数乃至複数のピクチャスタンプ映像を前記マイプロモーション映像に合成するピクチャスタンプ映像として選択する。そして、前記ＣＣＤカメラ４５により撮影されて前記カラオケ装置１６から送られてくる演奏者の映像１２４の前面側レイヤに選択されたピクチャスタンプ映像１２６を前記スタンプ映像１２２と共に合成し、図１０に示すように実際に作成されるマイプロモーション映像１２８のプレビュー映像として前記タッチパネルディスプレイ６８に表示する。
【００５０】
また、前記マイプロモーション映像作成手段１１６は、好適には、前記タッチパネルディスプレイ６８（タッチパネル７６）による入力操作に応じて前記マイプロモーション映像１２８に関する手動編集を行う。具体的には、図１０に示すように、前記スタンプ映像１２２のフォントとして「手書き」、「ホラー」、「習字」等の中から何れかが選択できるようになっており、前記タッチパネル７６による入力操作を介して選択されたそのフォントの種類に応じて前記スタンプ映像１２２の形体（フォント）を変更する。また、前記マイプロモーション映像１２８のフレームや前記スタンプ映像１２２の文字色等が選択できるようになっており、前記マイプロモーション映像作成手段１１６は、斯かる画面の表示に従っての入力（選択）操作に応じて前記マイプロモーション映像１２８を変更（編集）する制御を行う。
【００５１】
図５に戻って、前記マイプロモーション映像送信手段１１８は、前記マイプロモーション映像作成手段１１６により作成されたマイプロモーション映像１２８を外部機器に送信する。この外部機器とは、例えば、前述したシール作成装置６５であり、前記マイプロモーション映像送信手段１１８は、前記マイプロモーション映像作成手段１１６により作成されたマイプロモーション映像１２８を所定のコーデックで圧縮し、前記ＬＡＮ２４等を介して前記カラオケ装置１６乃至シール作成装置６５へ送信する。なお、このシール作成装置６５へ送信される映像情報は、前記マイプロモーション映像作成手段１１６により作成されたマイプロモーション映像１２８そのものでなくともよく、例えばそのマイプロモーション映像１２８における所定のタイミングに相当する静止画像（ワンショット画像）であってもよい。例えば、前記タッチパネルディスプレイ６８に図１０に示すようなプレビュー／編集画面１２０が表示されている状態において、その画面内におけるキャプチャボタン映像１３０にタッチ入力操作が行われることで前記マイプロモーション映像１２８におけるその瞬間の映像（静止画像）が取得され、斯かる静止画像に対応する映像情報が前記シール作成装置６５へ送信される。そして、そのようにして映像情報を受信したシール作成装置６５において、受信された映像情報に対応する図１１に示すようなシール（ステッカ）１３２が作成されて出力される。この図１１に示すように、前記シール作成装置６５により作成されるシール１３２は、所定の台紙上に剥離可能な複数枚（図１１では６枚）の粘着紙片が張り付けられたものであり、各粘着紙片の表面に前記マイプロモーション映像１２８のワンショットに相当する映像が印刷（プリント）されたものである。
【００５２】
また、前記マイプロモーション映像送信手段１１８は、好適には、前記マイプロモーション映像作成手段１１６により作成されたマイプロモーション映像１２８を外部装置としての携帯電話機１３４へ送信する。この送信の態様としては、ブルートゥースモジュール等を用いた通信により前記電子早見本装置２２から直接乃至前記カラオケ装置１６を介して行うものであってもよいし、前記ＬＡＮ２４及び通信回線１８等を介して電子メールの添付ファイルとして送信されるものであってもよい。そのようにして上記携帯電話機１３４へ送られた前記マイプロモーション映像１２８は、その携帯電話機１３４において待ち受け画像（待ち受けフラッシュ）やＨＴＭＬ形式メールの装飾画像等として用いられる他、その携帯電話機１３４から他の機器へ送信（転送）可能とされる。斯かる態様において、前記マイプロモーション映像１２８は、例えばswfファイル、mpegファイル、或いはgifファイル等として対象となる携帯電話機１３４へ送信される。なお、このファイル送信の対象となる携帯電話機１３４は、前記タッチパネル７６等を介して入力されるメールアドレスによって特定されるものであってもよいし、ブルートゥースモジュールにより通信を行う態様では前記カラオケ装置１６が設置された室内（通信範囲内）に存在する携帯電話機１３４に一律に送信されるものであってもよい。
【００５３】
また、前記マイプロモーション映像送信手段１１８は、好適には、前記マイプロモーション映像作成手段１１６により作成されたマイプロモーション映像１２８を外部装置としての前記サーバ装置２０へ送信する。例えば、前記ＬＡＮ２４及び通信回線１８等を介して前記サーバ装置２０における図示しない顧客別データベースにアップロードする。この顧客別データベースには、前記カラオケ装置１６を利用する各利用者の名前（ニックネーム）、ログイン認証に用いられるパスワード、生年月日、性別、メールアドレス、地域、血液型、星座、パスワードを忘れたときのための質問及び解答、その利用者が過去に前記カラオケ装置１６にログインした履歴乃至その回数、その利用者が前記カラオケ装置１６によるカラオケ演奏において選曲した選曲履歴（カラオケ装置１６において過去に選曲された演奏曲の履歴）、その利用者が前記カラオケ装置１６によるカラオケ演奏において過去に行った演奏評価の評価結果に関する情報、その利用者が前記カラオケ装置１６によるカラオケ演奏において十八番曲として登録した演奏曲（簡易な操作により選曲入力を行い得るように設定された演奏曲）に関する情報、及びその利用者が前記電子早見本装置２２を介して過去に注文したドリンク等の注文品の履歴乃至その金額等の情報がその利用者の識別情報（ＩＤ）と関連付けられて記憶されている。前記マイプロモーション映像送信手段１１８によりアップロードされた前記マイプロモーション映像１２８は、その顧客別データベースに各利用者毎にその利用者の識別情報と関連づけられて記憶される。そして、好適には、そのように顧客別データベースにアップロードされた前記マイプロモーション映像１２８は、前記通信回線１８等を介して一般のパーソナルコンピュータ等により閲覧可能とされる。
【００５４】
図１２は、前記電子早見本装置２２のＣＰＵ８０によるマイプロモーション映像作成制御の要部を説明するフローチャートであり、所定の周期で繰り返し実行されるものである。
【００５５】
先ず、ステップ（以下、ステップを省略する）Ｓ１において、前記タッチパネルディスプレイ６８（タッチパネル７６）を介してのタッチ入力操作によりマイプロモーション映像作成開始操作が行われたか否かが判断される。このＳ１の判断が否定される場合には、それをもって本ルーチンが終了させられるが、Ｓ１の判断が肯定される場合には、Ｓ２において、前記カラオケ装置１６から前記ＣＣＤカメラ４５により撮像された演奏者の映像が取得されると共に、その時点においてそのカラオケ装置１６にて演奏されている演奏曲のカラオケデータが取得される。次に、Ｓ３において、前記歌詞抽出データベース９８に記憶された内容から対象となる演奏曲のタイトル及びその演奏曲の歌詞に含まれる文字に基づいて前記スタンプ映像に用いられる単数乃至複数の文字列が抽出される。次に、Ｓ４において、前記スタンプデータベース１００に記憶された内容から対象となる演奏曲のジャンルに応じて前記演奏者の映像に対するスタンプ映像の動き及び形体が決定される。次に、Ｓ５において、Ｓ３にて抽出された文字列に基づいてＳ４にて決定された動き及び形体のスタンプ映像が作成される。次に、Ｓ６において、前記ピクチャスタンプデータベース１０２に記憶された内容から対象となる演奏曲のジャンルに応じて単数乃至複数のピクチャスタンプ映像が抽出される。次に、Ｓ７において、前記カラオケ装置１６から送られてくる前記ＣＣＤカメラ４５により撮像された演奏者の映像の前面側レイヤにＳ５にて作成されたスタンプ映像及びＳ６にて選択されたピクチャスタンプ映像が合成されてマイプロモーション映像が作成され、前記タッチパネルディスプレイ６８（表示装置７２）に表示される。次に、Ｓ８において、前記タッチパネルディスプレイ６８（タッチパネル７６）を介してのタッチ入力操作により手動入力が行われたか否かが判断される。このＳ８の判断が否定される場合には、Ｓ１０以下の処理が実行されるが、Ｓ８の判断が肯定される場合には、Ｓ９において、手動入力に応じて前記タッチパネルディスプレイ６８に表示されるマイプロモーション映像のプレビュー映像が変更された後、Ｓ１０において、前記タッチパネルディスプレイ６８（タッチパネル７６）を介してのタッチ入力操作によりマイプロモーション映像作成完了操作が行われたか否かが判断される。このＳ１０の判断が否定される場合には、Ｓ８以下の処理が再び実行されるが、Ｓ１０の判断が肯定される場合には、Ｓ１１において、作成完了に係るマイプロモーション映像が所定の形式の動画ファイル乃至静止画像として作成される。次に、前記マイプロモーション映像送信手段１１８の動作に対応するＳ１２において、Ｓ１１にて作成されたマイプロモーション映像ファイルが前記サーバ装置２０、シール作成装置６５、乃至携帯電話機１３４等の外部装置へ出力された後、本ルーチンが終了させられる。以上の制御において、Ｓ３乃至Ｓ５が前記スタンプ映像作成手段１１４の動作に、Ｓ６乃至Ｓ１１が前記マイプロモーション映像作成手段１１６の動作にそれぞれ対応する。
【００５６】
このように、本実施例によれば、前記カラオケ装置１６により演奏を行う演奏者の映像を撮影する撮像装置としてのＣＣＤカメラ４５と、そのＣＣＤカメラ４５による撮影中に前記カラオケ装置１６により出力される演奏曲の歌詞に基づくスタンプ映像１２２を作成するスタンプ映像作成手段１１４（Ｓ３乃至Ｓ５）と、そのスタンプ映像作成手段１１４により作成されたスタンプ映像１２２と前記ＣＣＤカメラ４５により撮像された演奏者の映像１２４とを合成してマイプロモーション映像１２８を作成するマイプロモーション映像作成手段１１６（Ｓ６乃至Ｓ１１）と、そのマイプロモーション映像作成手段１１６により作成されたマイプロモーション映像１２８を外部機器に送信するマイプロモーション映像送信手段１１８（Ｓ１２）とを、備えたものであることから、前記カラオケ装置１６を用いて演奏を行っている演奏者の映像１２４とその演奏に係る演奏曲の歌詞をモチーフとしたスタンプ映像１２２とを含むマイプロモーション映像１２８を簡便に作成でき、外部機器において利用することができる。すなわち、演奏者のマイプロモーション映像を作成する付加的な機能を有するカラオケ装置１６を提供することができる。
【００５７】
また、前記外部機器は、前記マイプロモーション映像送信手段１１６により送信されるマイプロモーション映像１２８に基づくシール１３２を作成するシール作成装置６５であるため、そのマイプロモーション映像１２８を実用的な態様で好適に利用することができる。
【００５８】
また、前記マイプロモーション映像１２８は、前記外部機器としての携帯電話機１３４の待ち受け画像として利用されるものであるため、そのマイプロモーション映像１２８を実用的な態様で好適に利用することができる。
【００５９】
また、前記マイプロモーション映像１２８は、前記外部機器としての携帯電話機１３４におけるＨＴＭＬ形式メールの装飾画像として利用されるものであるため、そのマイプロモーション映像１２８を実用的な態様で好適に利用することができる。
【００６０】
また、前記マイプロモーション映像１２８は、前記外部機器としてのサーバ装置２０に備えられたデータベースにアップロードされてインターネットを介して閲覧可能とされるものであるため、そのマイプロモーション映像１２８を実用的な態様で好適に利用することができる。
【００６１】
また、前記スタンプ映像作成手段１１４は、前記ＣＣＤカメラ４５により撮像された演奏者の映像１２４に対して所定の動きをとる動画としての前記スタンプ映像１２２を作成するものであるため、動画としてのスタンプ映像１２２を含む魅力的なマイプロモーション映像１２８を作成することができる。
【００６２】
また、前記スタンプ映像作成手段１１４は、予め定められた関係から対象となる演奏曲のジャンルに応じて前記演奏者の映像１２４に対するスタンプ映像１２２の動きを定めるものであるため、演奏に係る演奏曲のジャンルに応じて動く動画としてのスタンプ映像１２２を含む魅力的なマイプロモーション映像１２８を作成することができる。
【００６３】
また、前記スタンプ映像作成手段１１４は、予め定められた関係から対象となる演奏曲のジャンルに応じて前記スタンプ映像１２２の形体を定めるものであるため、演奏に係る演奏曲のジャンルに応じた形体をとるスタンプ映像１２２を含む魅力的なマイプロモーション映像１２８を作成することができる。
【００６４】
また、前記スタンプ映像作成手段１１４は、予め定められた関係から、対象となる演奏曲のタイトル及びその演奏曲の歌詞に含まれる文字に基づいて、前記スタンプ映像１２２に用いる単数乃至複数の文字列を抽出するものであるため、そのスタンプ映像１２２に用いる文字列を実用的な態様で好適に抽出することができる。
【００６５】
また、前記スタンプ映像作成手段１１４は、抽出された複数の文字列の中から所定の操作により選択される文字列を前記スタンプ映像１２２に用いる歌詞として定めるものであるため、利用者の所望する文字列に基づくスタンプ映像１２２を作成することができる。
【００６６】
また、前記マイプロモーション映像作成手段１１６は、前記スタンプ映像１２２に加えて所定のピクチャスタンプ映像１２６を前記ＣＣＤカメラ４５により撮像された演奏者の映像１２４と合成してマイプロモーション映像１２８を作成するものであるため、演奏に係る演奏曲の歌詞をモチーフとしたものではないピクチャスタンプ映像１２６を含む魅力的なマイプロモーション映像１２８を作成することができる。
【００６７】
また、前記マイプロモーション映像作成手段１１６は、予め定められた関係から対象となる演奏曲のジャンルに応じて単数乃至複数のピクチャスタンプ映像１２６を抽出するものであるため、演奏に係る演奏曲の歌詞をモチーフとしたものではないが、その演奏曲のジャンルに応じて抽出されるピクチャスタンプ映像１２６を含む魅力的なマイプロモーション映像１２８を作成することができる。
【００６８】
また、前記マイプロモーション映像作成手段１１６は、抽出された複数のピクチャスタンプ映像１２６の中から所定の操作により選択されるピクチャスタンプ映像１２６を前記マイプロモーション映像１２８に合成するものであるため、利用者の所望するピクチャスタンプ映像１２６を含むマイプロモーション映像１２８を作成することができる。
【００６９】
また、前記カラオケ装置１６を遠隔操作するために、所定の映像を表示させると共に利用者の接触に応じて前記カラオケ装置１６への入力を行うタッチパネルディスプレイ６８を有する電子早見本装置２２を備え、前記スタンプ映像作成手段１１４、マイプロモーション映像作成手段１１６、及びマイプロモーション映像送信手段１１８は、その電子早見本装置２２に備えられたものであるため、前記カラオケ装置１６により演奏が行われている際に、そのカラオケ演奏を邪魔することなくマイプロモーション映像１２８のプレビュー乃至編集等の作業を行うことができる。
【００７０】
以上、本発明の好適な実施例を図面に基づいて詳細に説明したが、本発明はこれに限定されるものではなく、更に別の態様においても実施される。
【００７１】
例えば、前述の実施例において、前記スタンプ映像作成手段１１４、マイプロモーション映像作成手段１１６、及びマイプロモーション映像送信手段１１８は、前記電子早見本装置２２のＣＰＵ８０に機能的に備えられたものであったが、本発明はこれに限定されるものではなく、それらの制御機能の一部乃至全部が前記カラオケ装置１６のＣＰＵ５０に機能的に備えられたものであってもよい。この場合、前記マイプロモーション映像１２８の編集を行うための入力装置として前記電子早見本装置２２の他、前記リモコン装置６４等が好適に用いられる。
【００７２】
また、前述の実施例において、前記ＣＣＤカメラ４５は前記カラオケ装置１６に備えられたものであったが、前記電子早見本装置２２に撮像装置としてのＣＣＤカメラ４５が備えられた態様も考えられる。
【００７３】
また、前述の実施例においては、前記マイプロモーション映像１２８の要素であるスタンプ映像１２２に用いられる文字列、そのスタンプ映像１２２の形体や動き、及びピクチャスタンプ映像１２６の種類等をタッチ入力操作により選択し得る態様について説明したが、それらは何れも前述した歌詞抽出データベース９８、スタンプデータベース１００、及びピクチャスタンプデータベース１０２に記憶された内容に基づいて自動的に決定されるものであってもよい。すなわち、タッチ入力操作によるマイプロモーション映像１２８の編集は、必ずしも行われなくともよい。
【００７４】
また、前述の実施例では特に言及していないが、前記マイプロモーション映像作成手段１１６によるマイプロモーション映像１２８の編集は、前記カラオケ装置１６による対象となる演奏曲の演奏と同時にしか行い得ないものとしてもよいし、その演奏が終わった後も前記電子早見本装置２２に記憶された情報に基づいて編集可能としてもよい。
【００７５】
その他、一々例示はしないが、本発明はその趣旨を逸脱しない範囲内において種々の変更が加えられて実施されるものである。
【図面の簡単な説明】
【００７６】
【図１】本発明が好適に適用されるカラオケシステムを説明する概略図である。
【図２】本発明の一実施例であるカラオケ装置の構成を例示するブロック線図である。
【図３】図２のカラオケ装置に備えられた電子早見本装置の外観を大まかに示す斜視図である。
【図４】図３の電子早見本装置の構成を説明するブロック線図である。
【図５】図２のカラオケ装置のＣＰＵ及び図４の電子早見本装置のＣＰＵに備えられた制御機能を説明する機能ブロック線図である。
【図６】図４の電子早見本装置における記憶部に備えられた歌詞抽出データベースの一例を示す図である。
【図７】図４の電子早見本装置における記憶部に備えられたスタンプデータベースの一例を示す図である。
【図８】図７のスタンプデータベースにおける別の部分を示す図である。
【図９】図４の電子早見本装置における記憶部に備えられたピクチャスタンプデータベースの一例を示す図である。
【図１０】図４の電子早見本装置によるマイプロモーション映像の作成に際してタッチパネルディスプレイに表示されるプレビュー／編集画面を説明する図である。
【図１１】図２のカラオケ装置に接続されるシール作成装置により作成されるシールの一例を示す図である。
【図１２】図４の電子早見本装置のＣＰＵによるマイプロモーション映像作成制御の要部を説明するフローチャートである。
【符号の説明】
【００７７】
１６：カラオケ装置
２０：サーバ装置（外部機器）
２２：電子早見本装置
４５：ＣＣＤカメラ（撮像装置）
６５：シール作成装置（外部機器）
６８：タッチパネルディスプレイ
１１４：スタンプ映像作成手段
１１６：マイプロモーション映像作成手段
１１８：マイプロモーション映像送信手段
１２２：スタンプ映像
１２４：演奏者の映像
１２６：ピクチャスタンプ映像
１２８：マイプロモーション映像
１３２：シール
１３４：携帯電話機（外部機器）
【図１】
2010072289.tif 000003
【図２】
2010072289.tif 000004
【図３】
2010072289.tif 000005
【図４】
2010072289.tif 000006
【図５】
2010072289.tif 000007
【図６】
2010072289.tif 000008
【図７】
2010072289.tif 000009
【図８】
2010072289.tif 000010
【図９】
2010072289.tif 000011
【図１０】
2010072289.tif 000012
【図１１】
2010072289.tif 000013
【図１２】
2010072289.tif 000014